(57)【要約】【課題】ギターの物理的一体性を増加させる、ギターの装置、組み立て方法、および製造方法を提供すること。【解決手段】弦楽器のボディのための支持体であって、該支持体は、力木構造体であって、該力木構造体は、中心体の周りに放射状に配置された複数のレッグを有し、該力木構造体は、実質的に平坦な第一の表面を有し、該複数のレッグの部分は、該弦楽器のボディと一体化されたサウンドホールの開口部と合う、力木構造体、を備える、支持体。【選択図】なし【特許請求の範囲】
【請求項１】
弦楽器のボディのための支持体であって、該支持体は、
力木構造体であって、該力木構造体は、中心体の周りに放射状に配置された複数のレッグを有し、該力木構造体は、実質的に平坦な第一の表面を有し、該複数のレッグの部分は、該弦楽器のボディと一体化されたサウンドホールの開口部と合う、力木構造体、
を備える、支持体。
【請求項２】
前記力木構造体が、前記弦楽器の共鳴板に設置されるように適合されている、請求項１に記載の支持体。
【請求項３】
前記複数のレッグのうちの２つが、構造的支持を提供するために、前記共鳴板の内側表面にわたって延びる、請求項２に記載の支持体。
【請求項４】
前記複数のレッグのうちの２つが、前記弦楽器のボディに設置されるように構成されたヘッドブロックを受容するように適合されている、請求項１に記載の支持体。
【請求項５】
前記力木構造体が、単一構成である、請求項１に記載の支持体。
【請求項６】
前記力木構造体が、複合材料からさらに構成される、請求項５に記載の支持体。
【請求項７】
前記複合材料が、強度および方向が均一になるように選択された、重ねられた繊維を含有する、請求項６に記載の支持体。
【請求項８】
前記力木構造体が、エポキシ材料を使用して、前記弦楽器のボディに接着される、請求項１に記載の支持体。
【請求項９】
シム構造体をさらに備え、該シム構造体は、前記力木構造体を、前記弦楽器のボディに設置するために、該力木構造体と形状が実質的に合う、請求項１に記載の支持体。
【請求項１０】
ギターのボディのための力木であって、該力木は、
該ギターの共鳴板に設置されるように適合された単一構造体であって、該単一構造体は、中心体の周りに放射状に配置された複数のアームを有する、単一構造体、
を備える、力木。
【請求項１１】
前記単一構造体が、前記力木を前記共鳴板に固定するための、実質的に平坦な表面を備える、請求項１０に記載の力木。
【請求項１２】
前記複数のアームのうちの２つが、前記ギターの共鳴板に一体化されたサウンドホールの開口部に合う、請求項１０に記載の力木。
【請求項１３】
前記複数のアームのうちの２つが、構造的支持を提供するために、前記共鳴板を横切って延びる、請求項１０に記載の力木。
【請求項１４】
前記複数のアームのうちの２つが、前記ギターのボディに設置されるように構成されたヘッドブロックを受容するように適合されている、請求項１０に記載の力木。
【請求項１５】
前記単一構造体が、複合材料からさらに構成される、請求項１０に記載の力木。
【請求項１６】
前記複合材料が、強度および方向が均一になるように選択された、重ねられた繊維をさらに含有する、請求項１５に記載の力木。
【請求項１７】
前記単一構造体が、エポキシ材料を使用して、前記ギターのボディに接着される、請求項１０に記載の力木。
【請求項１８】
ギターを組み立てる方法であって、該組み立て方法は、
力木構造体を、該ギターの共鳴板に設置する工程であって、該力木構造体は、中心体の周りに放射状に配置された複数のレッグを有する、工程、
を包含する、組み立て方法。
【請求項１９】
前記力木構造体を設置する工程が、水ベースの接着剤を使用して実施される、請求項１８に記載の組み立て方法。
【請求項２０】
前記複数のレッグのうちの２つが、前記ギターのボディのサウンドホールの開口部に合う、請求項１８に記載の組み立て方法。
【請求項２１】
前記複数のレッグのうちの２つが、構造的支持を提供するために、前記共鳴板にわたって延びる、請求項１８に記載の組み立て方法。
【請求項２２】
前記力木構造体を複合材料で形成する工程をさらに包含する、請求項１８に記載の組み立て方法。
【請求項２３】
前記複合材料が、強度および方向が均一になるように選択される、重ねられた繊維をさらに含有する、請求項２２に記載の組み立て方法。
【請求項２４】
ギターを製造する方法であって、該製造方法は、
該ギターの共鳴板に設置されるように適合された、単一構造体を提供する工程であって、該単一構造体は、中心体の周りに放射状に配置された複数のアームを有する、工程、
を包含する、製造方法。
【請求項２５】
前記単一構造体が、該単一構造体を前記共鳴板に固定するための、実質的に平坦な表面を備える、請求項２４に記載の製造方法。
【請求項２６】
前記複数のアームのうちの２つが、前記共鳴板に一体化されたサウンドホールの開口部に合う、請求項２４に記載の製造方法。
【請求項２７】
前記複数のアームのうちの２つが、構造的支持を提供するために、前記共鳴板を横切って延びる、請求項２４に記載の製造方法。
【請求項２８】
前記複数のアームのうちの２つが、前記ギターのボディに設置されるように構成されたヘッドブロックを受容するように適合されている、請求項２４に記載の製造方法。
【請求項２９】
前記単一構造体が、複合材料からさらに構成される、請求項２４に記載の製造方法。
【請求項３０】
前記複合材料が、強度および方向が均一になるように選択された、重ねられた繊維をさらに含有する、請求項２４に記載の製造方法。
【発明の詳細な説明】
【技術分野】
【０００１】
（発明の分野）
本発明は、一般に、楽器に関し、そしてより特定すると、弦楽器のための、ボディ補強装置に関する。
【背景技術】
【０００２】
（発明の背景）
ギターは、人気のある楽器であり、そして通常、アマチュア音楽家とプロ音楽家との両方によって、使用されている。アコースティックギターは、一般に、中空のボディを有し、このボディは、ネックに接続されている。この中空のボディは、裏板および共鳴板を備える。この共鳴板の中心領域に、サウンドホールが一体化されている。これらの裏板および共鳴板は、形作られた側壁によって接続されている。ネックおよびボディは、一般に、ヘッドブロックとして通常公知である構造体を使用して、一緒に接続される。このネックは、ネックからボディへの接合部においてネックとヘッドブロックとが一緒になる箇所で、終わる。
【０００３】
ギターは、共鳴板上のブリッジからサウンドホールを横切り、ネックに沿って、かなりの張力で張られた、一連の弦を有する。ギターは、もともと、低張力の弦（初期には、ガットから作製される弦、および後には、ナイロンから作製される弦）を利用していた。後には、スチール弦が、ギターに組み込まれた。スチール弦の使用は、ギターのボディおよびネックに作用する張力を、劇的に増加させた。
【０００４】
従来技術の設計は、演奏の質に不利な影響を与えることなく、ギターの強度および耐久性を改善することを試みた。改善には、共鳴板の下側の力木パターン、またはギターの接合領域を補強するためのネックからボディへの接合構成が含まれた。
【０００５】
種々の改善にもかかわらず、ギターの製造（特に、楽器の構成において一般に木材を使用するアコースティックギターの製造）は、完成した製品におけるかなりの量の変動性に供される。木材の物理的品質は、部品ごとに変化し得、そして環境因子（例えば、湿度）もまた、製造されたギターに一体化される種々の部分構成要素の全体的な物理的特性に対して、役割を果たす。
【０００６】
さらに、ギターは、特定の領域における強度および剛性の欠如に悩まされ続けている。ボディのサウンドホールの領域は、問題であり続けている。ギターの特定の領域における剛性および支持の欠如は、このギターの全体的な一体性の低下、ならびにこの楽器の弾き心地および全体的な音色の顕著な変化に、寄与する。
【発明の開示】
【発明が解決しようとする課題】
【０００７】
従って、ギターの物理的一体性を増加させる、ギターの装置、組み立て方法、および製造方法が必要とされている。さらに、ギターのサウンドホールおよびボディからネックへの領域における、さらなる構造的支持および剛性を提供する装置が、必要とされている。最後に、装置の物理的特性の固有の変動性の影響を受けない装置が必要とされている。
【課題を解決するための手段】
【０００８】
上記課題を解決するために、本発明は、以下を提供する：
（項目１）
弦楽器のボディのための支持体であって、該支持体は、
力木構造体であって、該力木構造体は、中心体の周りに放射状に配置された複数のレッグを有し、該力木構造体は、実質的に平坦な第一の表面を有し、該複数のレッグの部分は、該弦楽器のボディと一体化されたサウンドホールの開口部と合う、力木構造体、
を備える、支持体。
【０００９】
（項目２）
上記力木構造体が、上記弦楽器の共鳴板に設置されるように適合されている、項目１に記載の支持体。
【００１０】
（項目３）
上記複数のレッグのうちの２つが、構造的支持を提供するために、上記共鳴板の内側表面にわたって延びる、項目２に記載の支持体。
【００１１】
（項目４）
上記複数のレッグのうちの２つが、上記弦楽器のボディに設置されるように構成されたヘッドブロックを受容するように適合されている、項目１に記載の支持体。
【００１２】
（項目５）
上記力木構造体が、単一構成である、項目１に記載の支持体。
【００１３】
（項目６）
上記力木構造体が、複合材料からさらに構成される、項目５に記載の支持体。
【００１４】
（項目７）
上記複合材料が、強度および方向が均一になるように選択された、重ねられた繊維を含有する、項目６に記載の支持体。
【００１５】
（項目８）
上記力木構造体が、エポキシ材料を使用して、上記弦楽器のボディに接着される、項目１に記載の支持体。
【００１６】
（項目９）
シム構造体をさらに備え、該シム構造体は、上記力木構造体を、上記弦楽器のボディに設置するために、該力木構造体と形状が実質的に合う、項目１に記載の支持体。
【００１７】
（項目１０）
ギターのボディのための力木であって、該力木は、
該ギターの共鳴板に設置されるように適合された単一構造体であって、該単一構造体は、中心体の周りに放射状に配置された複数のアームを有する、単一構造体、
を備える、力木。
【００１８】
（項目１１）
上記単一構造体が、上記力木を上記共鳴板に固定するための、実質的に平坦な表面を備える、項目１０に記載の力木。
【００１９】
（項目１２）
上記複数のアームのうちの２つが、上記ギターの共鳴板に一体化されたサウンドホールの開口部に合う、項目１０に記載の力木。
【００２０】
（項目１３）
上記複数のアームのうちの２つが、構造的支持を提供するために、上記共鳴板を横切って延びる、項目１０に記載の力木。
【００２１】
（項目１４）
上記複数のアームのうちの２つが、上記ギターのボディに設置されるように構成されたヘッドブロックを受容するように適合されている、項目１０に記載の力木。
【００２２】
（項目１５）
上記単一構造体が、複合材料からさらに構成される、項目１０に記載の力木。
【００２３】
（項目１６）
上記複合材料が、強度および方向が均一になるように選択された、重ねられた繊維をさらに含有する、項目１５に記載の力木。
【００２４】
（項目１７）
上記単一構造体が、エポキシ材料を使用して、上記ギターのボディに接着される、項目１０に記載の力木。
【００２５】
（項目１８）
ギターを組み立てる方法であって、該組み立て方法は、
力木構造体を、該ギターの共鳴板に設置する工程であって、該力木構造体は、中心体の周りに放射状に配置された複数のレッグを有する、工程、
を包含する、組み立て方法。
【００２６】
（項目１９）
上記力木構造体を設置する工程が、水ベースの接着剤を使用して実施される、項目１８に記載の組み立て方法。
【００２７】
（項目２０）
上記複数のレッグのうちの２つが、上記ギターのボディのサウンドホールの開口部に合う、項目１８に記載の組み立て方法。
【００２８】
（項目２１）
上記複数のレッグのうちの２つが、構造的支持を提供するために、上記共鳴板にわたって延びる、項目１８に記載の組み立て方法。
【００２９】
（項目２２）
上記力木構造体を複合材料で形成する工程をさらに包含する、項目１８に記載の組み立て方法。
【００３０】
（項目２３）
上記複合材料が、強度および方向が均一になるように選択される、重ねられた繊維をさらに含有する、項目２２に記載の組み立て方法。
【００３１】
（項目２４）
ギターを製造する方法であって、該製造方法は、
該ギターの共鳴板に設置されるように適合された、単一構造体を提供する工程であって、該単一構造体は、中心体の周りに放射状に配置された複数のアームを有する、工程、
を包含する、製造方法。
【００３２】
（項目２５）
上記単一構造体が、該単一構造体を上記共鳴板に固定するための、実質的に平坦な表面を備える、項目２４に記載の製造方法。
【００３３】
（項目２６）
上記複数のアームのうちの２つが、上記共鳴板に一体化されたサウンドホールの開口部に合う、項目２４に記載の製造方法。
【００３４】
（項目２７）
上記複数のアームのうちの２つが、構造的支持を提供するために、上記共鳴板を横切って延びる、項目２４に記載の製造方法。
【００３５】
（項目２８）
上記複数のアームのうちの２つが、上記ギターのボディに設置されるように構成されたヘッドブロックを受容するように適合されている、項目２４に記載の製造方法。
【００３６】
（項目２９）
上記単一構造体が、複合材料からさらに構成される、項目２４に記載の製造方法。
【００３７】
（項目３０）
上記複合材料が、強度および方向が均一になるように選択された、重ねられた繊維をさらに含有する、項目２４に記載の製造方法。
【００３８】
弦楽器のボディのための支持体は、中心体の周りに放射状に配置された複数のレッグを有する、力木構造体を備える。この力木構造体は、実質的に平坦な第一の表面を有する。これらの複数のレッグの部分は、弦楽器のボディと一体化されたサウンドホールの開口部に合う。ギターのボディのための力木は、ギターの共鳴板に設置されるように適合された、単一構造体を備える。この単一構造体は、中心体の周りに放射状に配置される複数のアームを有する。ギターを組み立てる方法は、力木構造体を、ギターの共鳴板に設置する工程を包含する。ここでまた、この力木構造体は、中心体の周りに放射状に配置された複数のレッグを有する。
【００３９】
（発明の要旨）
１つの実施形態において、本発明は、弦楽器のボディのための支持体であり、この支持体は、力木構造体を備え、この力木構造体は、中心体の周りに放射状に配置された、複数のレッグを有し、この力木構造体は、実質的に平坦な第一の表面を有し、これらの複数のレッグのうちの一部は、この弦楽器のボディに一体化された、サウンドホールの開口部に合う。
【００４０】
別の実施形態において、本発明は、ギターのボディのための力木であり、この力木は、このギターの共鳴板に設置されるように適合された単一構造体を備え、この単一構造体は、中心体の周りに放射状に配置された、複数のアームを有する。
【００４１】
本発明のなお別の実施形態において、本発明は、ギターを組み立てる方法であり、この組み立て方法は、力木構造体を、ギターの共鳴板に設置する工程を包含し、この力木構造体は、中心体の周りに放射状に配置された、複数のレッグを有する。
【００４２】
なお別の実施形態において、本発明は、ギターを製造する方法であり、この製造方法は、ギターの共鳴板に設置されるように適合された単一構造体を提供する工程を包含し、この単一構造体は、中心体の周りに放射状に配置された、複数のアームを有する。
【発明の効果】
【００４３】
本発明により、ギターの物理的一体性を増加させる、ギターの装置、組み立て方法、および製造方法が提供される。さらに、ギターのサウンドホールおよびボディからネックへの領域における、さらなる構造的支持および剛性を提供する装置が、提供される。最後に、装置の物理的特性の固有の変動性の影響を受けない装置が提供される。
【発明を実施するための最良の形態】
【００４４】
（図面の詳細な説明）
本発明は、１つ以上の実施形態で、以下の説明において、図面を参照しながら記載される。図面において、同じ番号は、同じかまたは類似の要素を表す。本発明は、本発明の目的を達成するための最良の形態の観点で記載されるが、添付の特許請求の範囲ならびに以下の開示および図面によって支持されるような特許請求の範囲の均等物によって規定されるような、本発明の精神および範囲内に含まれ得る場合、代替物、改変物および均等物を網羅することが意図されることが、当業者によって理解される。
【００４５】
共鳴板に構造的な支持を提供するため、そして、サウンドホールおよび指板の領域の周りに剛性を提供するために、力木の中心体から放射状に配置された複数のアームを有する支持力木装置が使用され得る。力木構造体は、構造が単一かつ均質であり得、格子状に配置された一連の個々の力木を特徴とする従来技術の設計からの進歩である。
【００４６】
図１を参照すると、ボディ１２およびネック１４を有するギター１０が示される。ボディ１２は、円形のサウンドホール１８を備える共鳴板１６を有する。共鳴板１６は、横壁２０に接続され、次いで、裏板２２に接続される。ネック１４は、ヘッド２４を有する。弦（図示されず）は、ヘッド２４から、ネック１４に沿って、サウンドホール１８を横切り、そして、共鳴板１６上のブリッジ（図示されず）まで張られる。
【００４７】
図２は、単一の構造体として先に記載された、支持力木装置２６を示す。力木２６は、ボディ１２の上側の内側表面に合うように、実質的に平らな上面および底面２８を有する。力木２６は、中心体３０の周りに放射状に配置された複数のアームを備える。開口３２または開口部が、中心体３０の中心領域に配置される。開口３２は、ねじまたはボルトのような取付け機構が、中心体３０に貫入し、力木２６をギター１０の中心体１２の上側の内側表面へとしっかりと引き付けることを可能にする。
【００４８】
複数のアームの部分は、サウンドホールの開口部３８に合わされる。第一のアーム３６は、第二のアーム３６から左右対称に配置され、そして、２つのアーム３６は、サウンドホールの開口部３８に合わされる。同様に、第一のアーム３４は、第二のアーム３４に対して左右対称に配置される。設置された力木２６において、アーム３４は、実質的に、ギター１０のボディ１２の上側の内側表面を横断して延びる。第一のアーム４０は、第二のアーム４０の反対側に、左右対称に配置されているように見え、開口部４２を形成する。開口部４２は、さらに記載されるように、ヘッドブロックの表面の輪郭に一致することが意図される。
【００４９】
図３Ａを参照すると、ボディ１２の一部としての共鳴板１６の内側表面の図が示される。示されるように、力木２６が、ボディ１２（共鳴板１６）の内側表面に設置される。レッグ３６が、共鳴板１６の内側表面に固定され、そして、さらに、従来技術の個々の支持力木４４の格子構造に固定され得る。レッグ３６は、接着物質を用いて、または、ねじのような取付け機構を用いて、力木４４に固定され得る。ここでも、レッグ３６の部分が、ボディ１２内のサウンドホール１８の開口部に合うように適合される。レッグ３４は、共鳴板１６を実質的に横断して横方向に延びて、共鳴板１６に構造的な支持を提供する。レッグ４０は、ネックからボディへの接合領域に向かって延び、そして、ヘッドブロックを受容するための開口部を形成する。
【００５０】
図３Ｂは、第二の実施形態の力木２６を示す。力木２６は、示されるように、共鳴板１６の下側部分に、逆さ向きの様式で設置される。レッグ３６の部分は、ここでも、共鳴板１８の周りの領域に合っており、サウンドホール１８の周りの領域に、構造的な支持および剛性を提供する。この力木２６は、ギター１０のボディ１２および共鳴板１６の下側部分の余白空間に適応するように、より大きなサイズである。レッグ３４は、側壁２０のある部分から、その正反対に位置する側壁２０の別の部分まで、共鳴板１６を横方向に横切って延びるように示される。共鳴板１６に設置されるように構成された２つの力木２６が、使用され得る。第一の力木２６は、図３Ａに類似する配置で設置され得る。第二の力木２６は、図３Ｂに類似する配置で逆さ向きに設置され得る。第二の力木２６は、ボディ１２の下側部分に共通して配置された、伝統的な従来技術の「Ｘ」字型力木を置き換えるような設計および構成にされ得る。レッグ３４の配置は、Ｘ字型の力木がなし得ない様式で、ボディ１２を横断し、そして、サウンドホール１８の領域全体にわたって、一貫した横方向の支持を提供し得る。
【００５１】
上記の力木２６の配置に加えて、力木２６は、特定の用途のために成形または形成され得、そして、所望の構造的な支持および剛性を提供するために必要に応じて、追加のレッグ３６およびレッグ４０を備え得る。これには、力木２６が設置される共鳴板１６の位置が考慮され得る。特定の需要を満たすために、追加のレッグ３６およびレッグ４０が力木２６構造体内に組み込まれ得るとしても、力木２６は、全体として、単一の構造のままであり、レッグ３６およびレッグ４０は、中心体３０から放射状に延びる。
【００５２】
力木２６は、示されるように、指板の終端の下にある上側の横方向に延びる力木と置き換わる。力木２６はまた、単一の構造で、サウンドホールの周りの力木のほとんどと置き換わる。力木２６は、正確な度合いの硬さおよび剛性を提供するために特定の様式で方向付けられるように選択された繊維を含む、炭素繊維強化プラスチック（ＣＥＲＰ）材料のような複合材料から構成され得る。さらに、複合材料の選択は、意図される剛性が、力木２６の表面２８を横断して変化するようなものであり得、その結果、力木２６の特定の領域は、力木２６の別の特定の領域よりも剛性である。結果として、追加の剛性および支持が、力木２６の領域に提供され得、このことは、ギター１０の全体的な音質を犠牲にすることなく、追加の剛性および支持を利用する。力木２６を形成する複合材料は、切断および成形されても、特定の方向に並べられた重ねた繊維を利用してもよい。複合材料でできた力木２６は、複合材料を形成するための公知の技術を使用して製造され得る。
【００５３】
力木２６の使用は、指板およびヘッドブロックの回転によって引き起こされるサウンドホール１８の周りのひずみを排除するのに役立つ。さらに、力木２６は、密度および硬さが変動する天然のトウヒ製の力木とは異なり、一貫し、そして制御された様式でボディ１２の上側部分に硬さを与える。従来のギターにおいて見られる個々の力木はまた、一貫した硬さが所望される領域において、硬さが変動する傾向がある。力木２６のような単一の構造体の使用は、製造環境において効率的に再現され得る様式で、一貫した剛性を提供するのに役立つ。
【００５４】
図４を参照すると、力木２６が、シム構造体４６と組み合わせて見られる。ここでも、力木２６は、実質的に平らな上面および底面２８を有し、そして、中心体３０、開口３２、レッグ３４、３６および４０を備える。シム構造体４６は、力木２６を共鳴板１６の内側表面と接触させることが意図される。示される図において、シム４６は、力木２６の上面２８を、共鳴板１６の対応する内側表面と垂直に接触させる。シム４６は、一般に木から作製されるが、他の材料からも作製され得る、材料の薄片であることが意図される。示されるように、シム４６は、力木２６の輪郭の形状にされる。アーム４８および５０は、それぞれ、アーム３４および４０に対応する。
【００５５】
シム４６の使用は、同じ力木２６が、種々のギター製造計画において使用されることを可能にする。単一の力木２６が、異なる内側表面特徴を有する種々のギター１０において使用され得る。結果として、製造プロセスはより容易になるが、力木２６の各々は、特定の設定において、ぴたりとかつ適切にフィットする。シム４６は、木から作製されるので、シム４６は、特定の形状へと容易にやすりがけされる。複合材料でできた力木２６をやすりがけすると、製造プロセスに、シム４６の導入が排除する、多数のさらなる問題を提示する。それにもかかわらず、力木２６は、複合材料でできた力木２６をやすりがけし、そして、エポキシを用いることによってギター１０に設置され得るが、複合材料のやすりがけは好ましくない。
【００５６】
シム４６は、エポキシ、強力接着剤または類似の接着材料を用いて力木２６に接着され得る。しかし、シム４６は木製なので、接着されたシム４６／力木２６の組み合わせは、次いで、単一の水ベースの接着剤を用いて、ボディ１２の内側表面に接着される。これは、製造プロセスにおいて現在一般的なものである。従って、ギター１０の最終的な組み立てプロセスは、共通した様式で進行し続け得る。シム４６を使用しない場合は、代表的な木ベースの接着プロセスと同時に、エポキシまたは他の強力接着剤が使用されなければならず、全体的な製造プロセスが複雑になる。
【００５７】
図５は、シム４６を伴った力木２６の上面図を示し、力木２６およびシム４６は、ネックからボディへの接合領域においてボディ１２の内側に設置されることが意図されるヘッドブロック５２へと結合されている。ヘッドブロック５２の裏面５４は、ボディ１２の内側表面と係合しても、ヘッドブロック５２の輪郭の形状にされたシム４６と係合してもよい。ヘッドブロック５２は、力木２６と組み合わさって機能し、サウンドホール１８、および、ネックからボディへの領域の全体にわたり剛性を強める。ヘッドブロック５２および力木２６は、単一の構造で作製され得、そして、複合材料を使用すると、一貫性、剛性、および製造の容易さが高められる。
【００５８】
図６を参照すると、上記のような力木２６を使用した、ギター１０の例示的な製造方法が示される。最初の組み立て前の工程として、共鳴板１６への特定の用途のために適合する表面を得るために、シム構造体がやすりがけされ得る（工程５６）。次いで、シム構造体は、ギター１０において一般的に見られる代表的な「Ｘ」字型力木構造体のような力木構造体へと固定され得る（工程５８）。最後に、力木２６および従来技術の構造体を備える組み立てられた力木装置が、ボディ１２の上側の内側表面へと設置され得る（工程６０）。
【００５９】
単一の力木２６を使用すると、音楽的に望ましい周波数を発生しやすくする様式で、共鳴板１６に剛性を与える。さらに、力木２６の使用は、弦の張りに起因する共鳴板１６の所望されない変形を防止または制限する。力木２６は、ここでも、複合繊維から重ねられ得、この複合繊維は、木製の部品とは異なり、強度および方向が予測可能でありかつ、再現性がある。複合繊維は、複合構造体を成形および形成するための一般に知られる技術を用いて製造され得る。
【００６０】
力木２６の形状は、ギター１０の指板の終端の下に強度を提供するように設計される。しかし、力木２６の形状はまた、１つの実施形態においては、より小さな従来技術の力木のわずかな可撓性を模倣することも可能であり、これは、一般に、サウンドホール１８の周りに配置される。
【００６１】
ここでも、力木２６の使用は、複数の力木を排除し、従って、個々の成分を排除して、より単純な製造プロセスを提供することによって、製造をスピードアップする。
【００６２】
共鳴板１６に硬さおよび剛性を提供することに加え、力木２６の１つの実施形態は、ネック１４から、従来のギターの「Ｘ」字型の力木の側部へと圧縮による負荷の一部を移すために使用され得る。圧縮による負荷を移すことによって、上側の一続き（bout）において、そして、サウンドホール１８の周りで、共鳴板１６のひずみが減少する。この実施形態は、サウンドホール１８の周りに、ここでも、特定の位置において必要とされる剛性を提供するための所望の配置に硬化部材を備えるという点で、より小さな従来技術の力木のわずかな可撓性を模倣することとは異なる。
【００６３】
力木２６の使用は、必要に応じて、制御され、再現性のある様式で、共鳴板１６を硬くする。必要に応じて共鳴板１６を硬くすることは、共鳴板１６の残りの部分が、より自由に振動することを可能にし、音のトーンおよび響きを改善する。力木２６は、サウンドホール１８のすぐ周囲の領域に制御された剛性を付与し、ここでも、サウンドホール領域における動きによって生じるひずみを排除する。
【００６４】
本発明の１つ以上の実施形態が、詳細に説明されたが、当業者は、これらの実施形態に対する改変および適合が、添付の特許請求の範囲に記載されるような本発明の範囲から逸脱することなくなされ得ることを理解する。
【図面の簡単な説明】
【００６５】
【図１】図１は、サウンドホールを有する共鳴板を備える、ネックおよびボディを有するギターを示す。
【図２】図２は、例示的な支持力木装置を示す。
【図３Ａ】図３Ａは、共鳴板に設置され、そして、従来技術の「Ｘ」字型力木に係合された、例示的な支持力木装置を示す。
【図３Ｂ】図３Ｂは、図３Ａに示される配置とは逆の配置の、共鳴板に設置された第二の例示的な支持力木装置を示す。
【図４】図４は、力木と、力木の輪郭に一致する付属のシム構造体とを示す。
【図５】図５は、力木、シム構造体、およびヘッドブロックを示す。
【図６】図６は、記載されるような力木を組み込んだギターの例示的な組み立て方法を示す。
【符号の説明】
【００６６】
１０：ギター
１２：ボディ
１４：指板
１６：共鳴板
１８：サウンドホール
２０：横壁
２２：裏板
２４：ヘッド
２６：力木
４６：シム
５２：ヘッドブロック
【図１】
2007323075.tif 000002
【図２】
2007323075.tif 000003
【図３Ａ】
2007323075.tif 000004
【図３Ｂ】
2007323075.tif 000005
【図４】
2007323075.tif 000006
【図５】
2007323075.tif 000007
【図６】
2007323075.tif 000008